(57)【要約】【課題】設置面積を小さくすることができ、また、送風効率を高めることのできる空気清浄機を提供することを目的とする。【解決手段】左右端部にそれぞれ吸気口１と吹出口を有した縦長の本体３内に設けた縦長のクロスフローファン５と、クロスフローファン５の一部を囲み吸気流と吸気流を形成するケーシング６の吸気流側に設けた縦長のフィルターユニット７と、フィルターユニット７からクロスフローファン５に至る風路となる空間部８と、本体３の一部を形成するフロントパネル９とケーシング６の舌部１０を繋ぐ壁部１１とを備え、空間部８を、フィルターユニット７とフロントパネル９および壁部１１とで包囲することにより、設置面積を小さくすることができ、また、送風効率を高めることのできる空気清浄機が得られる。【選択図】図１
2007021352.tif 000002
【特許請求の範囲】
【請求項１】
左右にそれぞれ吸気口と吹出口を有した縦長の本位と、この本体内にモータにより駆動されるように設けた縦長のクロスフローファンと、このクロスフローファンの一部を囲み吸気流と吹出流を形成するケーシングと、このケーシングの吸気流側に設けた縦長のフィルターユニットと、このフィルターユニットから前記クロスフローファンに至る風路となる空間部と、前記本体の一部を形成するフロントパネルと、このフロントパネルと前記ケーシングの舌部を繋ぐ壁部とを備え、前記空間部を、前記フィルターユニットとフロントパネルおよび壁部とで包囲する構成とした空気清浄機。
【請求項２】
フロントパネルの断面を前面凸状の円弧形状に形成した請求項１記載の空気清浄機。
【請求項３】
本体を前面凸状のフロントパネルと後面凸状のリアパネルで形成し、１つのフィルターユニットを前記フロントパネルと前記リアパネルの間に密接状態で配置した請求項１または２記載の空気清浄機。
【請求項４】
ケーシングの舌部とクロスフローファンの回転軸を結ぶ基準線に対しフィルターユニットのなす角度αを９０度以上とした請求項１〜３記載の空気清浄機。
【請求項５】
ケーシングの舌部とクロスフローファンの回転軸を結ぶ基準線の延長線上付近に、フィルターユニットの一端を配置し、他端をフロントパネルに溶接した請求項１〜４記載の空気清浄機。
【請求項６】
壁部の断面形状をフロントパネルより曲率半径が小なる円弧形状とした請求項１〜５記載の空気清浄機。
【請求項７】
ケーシングの舌部とクロスフローファンの回転軸を結ぶ基準線に対してフィルターユニットのなす角度αを９０度未満とした請求項１〜３記載の空気清浄機。
【請求項８】
吸気口をフロントパネルとリアパネルにそれぞれ形成し、吹出口の反対側の端部に配置した請求項１〜７記載の空気清浄機。
【請求項９】
フィルターユニットの他端をフロントパネルとリアパネルの両方に密接した請求項１〜７記載の空気清浄機。
【発明の詳細な説明】
【技術分野】
【０００１】
本発明は、室内に設置し、室内の汚染された空気を浄化する空気清浄機に関する。
【背景技術】
【０００２】
従来、この種の空気清浄機の一例としてクロスフローファンを使用したものが知られている（例えば、特許文献１参照）。
【０００３】
以下、その空気清浄機について図８および図９を参照しながら説明する。
【０００４】
図に示すように、下面側に吸気口１０１を有し、上部前面側に排気口１０２を設けた横長の器体１０３の上部内にモータ１０４に駆動される横長のクロスフローファン１０５からなる送風ファン１０６を略水平方向に設け、吸気口１０１からクロスフローファン１０５に至る横長の空間に下方側から順に、プレフィルター１０６、イオン風用対極板１０７、イオン化電極１０８、集塵フィルター１０９、脱臭フィルター１１０を配設して構成していた。
【特許文献１】特開平８−８４９３９号公報（［００１２］、図１、図２）
【発明の開示】
【発明が解決しようとする課題】
【０００５】
このような従来の空気清浄機では、クロスフローファン１０５を水平方向に配置しているので、器体１０３の形状が横長となり配置面積が大きくなるという課題があり、設置面積を小さくすることが要求されている。
【０００６】
また、ケーシング１１１に設けられる舌部１１２と、脱臭フィルター１１０の距離が近く、また、風路も狭く、プレフィルター１０６から脱臭フィルター１１０に至るフィルターの厚み方向の寸法も大きいので、クロスフローファン１０５の送風効率が下がり、大風量を得るのは難しいという課題があり、送風効率を高めることが要求されている。
【０００７】
本発明は、このような従来の課題を解決するものであり、設置面積を小さくすることができ、また、送風効率を高めることのできる空気清浄機を提供することを目的としている。
【課題を解決するための手段】
【０００８】
本発明の空気清浄機は上記目的を達成するために、左右にそれぞれ吸気口と吹出口を有した縦長の本体と、この本体内にモータにより駆動されるように設けた縦長のクロスフローファンと、このクロスフローファンの一部を囲み吸気流と吹出流を形成するケーシングと、このケーシングの吸気流側に設けた縦長のフィルターユニットと、このフィルターユニットから前記クロスフローファンに至る風路となる空間部と、前記本体の一部を形成するフロントパネルと、このフロントパネルと前記ケーシングの舌部を繋ぐ壁部とを備え、前記空間部を前記フィルターユニットとフロントパネルおよび壁部とで包囲する構成としたものである。
【０００９】
この手段により、設置面積が小さくなるとともに送風効率を高めることができる空気清浄機が得られる。
【００１０】
また、他の手段は、フロントパネルの断面を前面凸状の円弧形状に形成したものである。
【００１１】
この手段により、気流を速やかに流通させることができる空気清浄機が得られる。
【００１２】
また、他の手段は、本体を前面凸状のフロントパネルと後面凸状のリアパネルで形成し、１つのフィルターユニットを前記フロントパネルと前記リアパネルの間に密接状態で配置したものである。
【００１３】
この手段により、空気清浄効率を維持することができるとともに、簡素な構造で空気清浄機能を実現できる空気清浄機が得られる。
【００１４】
また、他の手段は、ケーシングの舌部とクロスフローファンの回転軸を結ぶ基準線に対し、フィルターユニットのなす角度αを９０度以上としたものである。
【００１５】
この手段により、気流の導入を滑らかにすることができる空気清浄機が得られる。
【００１６】
また、他の手段は、ケーシングの舌部とクロスフローファンの回転軸を結ぶ基準線の延長線上付近に、フィルターユニットの一端を配置し、他端をフロントパネルに密接したものである。
【００１７】
この手段により、エアリークを防止するとともに、クロスフローファンの吸引力を高めることができる空気清浄機が得られる。
【００１８】
また、他の手段は、壁部の断面形状をフロントパネルより曲率半径が小なる円弧形状としたものである。
【００１９】
この手段により、気流を淀みなく流入させることができる空気清浄機が得られる。
【００２０】
また、他の手段は、ケーシングの舌部とクロスフローファンの回転軸を結ぶ基準線に対してフィルターユニットのなす角度αを９０度未満としたものである。
【００２１】
この手段により、本体を小形化して設置面積を縮小できる空気清浄機が得られる。
【００２２】
また、他の手段は、吸気口をフロントパネルとリアパネルにそれぞれ形成し、吹出口の反対側の端部に配置したものである。
【００２３】
この手段により、風量を増大できるとともに吸気範囲を拡げることができる空気清浄機が得られる。
【００２４】
また、他の手段は、フィルターユニットの他端をフロントパネルとリアパネルの両方に密接したものである。
【００２５】
この手段により、空気清浄効率を高めるとともに、送風量を増大することができる空気清浄機が得られる。
【発明の効果】
【００２６】
本発明によれば設置面積を小さくできるとともに送風効率を高めることができるという効果のある空気清浄機を提供できる。
【００２７】
また、空気清浄効率を維持することができ、簡単な構造で空気清浄機能を実現できるという効果のある空気清浄機を提供できる。
【００２８】
また、気流の導入を滑らかにすることができるという効果のある空気清浄機を提供できる。
【００２９】
また、エアリークを防止するとともに、クロスフローファンの吸引力を高めることができるという効果のある空気清浄機を提供できる。
【発明を実施するための最良の形態】
【００３０】
本発明の請求項１記載の発明は、左右にそれぞれ吸気口と吹出口を有した縦長の本体と、この本体内にモータにより駆動されるように設けた縦長のクロスフローファンと、このクロスフローファンの一部を囲み吸気流と吹出流を形成するケーシングと、このケーシングの吸気流側に設けた縦長のフィルターユニットと、このフィルターユニットから前記クロスフローファンに至る風路となる空間部と、前記本体の一部を形成するフロントパネルと、このフロントパネルと前記ケーシングの舌部を繋ぐ壁部とを備え、前記空間部を前記フィルターユニットとフロントパネルおよび壁部とで包囲する構成としたものであり、クロスフローファンの吸引側にフリーの空間部を設けることにより、フィルターユニットを通過後の気流を乱れなくクロスフローファンおよびケーシングの舌部方向に導入することができ、ファン効率を適正に保ち、風量を確保することができ、クロスフローファンを縦長に配置することにより配置面積を小さくできるという作用を有する。
【００３１】
また、請求項２記載の発明は、フロントパネルの断面形状を前面凸状の円弧形状に形成したものであり、クロスフローファンに至る風路となる空間部を拡大するとともに、フロントパネルの曲面に沿わせて気流を速やかに流通させることができるという作用を有する。
【００３２】
また、請求項３記載の発明は、本体を前面凸状のフロントパネルと後面凸状のリアパネルで形成し、１つのフィルターユニットを前記フロントパネルと前記リアパネルの間に密接状態で配置したものであり、本体の一端に設けた吸込口から吸引された汚染空気を、水平断面で本体内に斜めに配置した１つのフィルターユニットで清浄化して、本体の他端に設けた吹出口から吹き出すようにしているので、本体の左右端の厚み寸法が縮小した本体形状であっても、フィルターユニットの通過面積を確保して空気清浄効率を維持することができ、本体形状がスリムなだけでなく、簡素な構造で空気清浄機能を実現することができるという作用を有する。
【００３３】
また、請求項４記載の発明は、ケーシングの舌部とクロスフローファンの回転軸を結ぶ基準線に対しフィルターユニットのなす角度αを９０度以上としたものであり、フィルターユニットからクロスフローファンに至る風路となる空間部の左右幅を拡大することができ、フィルターユニット通過後の気流をより滑らかにクロスフローファンおよびケーシングの舌部方向に導入することができるという作用を有する。
【００３４】
また、請求項５記載の発明は、ケーシングの舌部とクロスフローファンの回転軸を結ぶ基準線の延長線上付近に、フィルターユニットの一端を配置し、他端をフロントパネルに密接したものであり、クロスフローファンの吸い込み領域の開始位置（舌部のファン中心軸に対して対象位置）付近は吸込力が弱いので、フィルターユニットを近接してもファン効率の低下は少なくなり、また、フィルターユニットの他端はフロントパネルに密接することで、エアリークを防ぐとともに、クロスフローファンの吸引力の比較的強い範囲でフィルターユニットが空気の流通の障害物とならないようにクロスフローファンから次第に遠ざかる配置となり、フィルターユニット通過後の空間部を確保できるという作用を有する。
【００３５】
また、請求項６記載の発明は、壁部の断面形状をフロントパネルより曲率半径が小なる円弧形状としたものであり、フロントパネルに沿う流れをケーシングの舌部方向にスムースに方向転換するようにして気流を淀みなく流入させることができるという作用を有する。
【００３６】
また、請求項７記載の発明は、ケーシングの舌部とクロスフローファンの回転軸を結ぶ基準線に対してフィルターユニットのなす角αを９０度未満としたものであり、フィルターユニットを本体中央寄りに配置することができるので、本体の一端を縮小することができ、本体を小形化して設置面積を縮小することができるという作用を有する。
【００３７】
また、請求項８記載の発明は、吸気口をフロントパネルとリアパネルにそれぞれ形成し、吹出口の反対側の端部に配置したものであり、吸気口を本体の前後２ケ所に設けることで、吸気口面積を広げて風量を増やすとともに、吸気する方向も前後に拡大して吸気範囲を拡大でき、清浄機能を高めることができるという作用を有する。
【００３８】
また、請求項９記載の発明は、フィルターユニットの他端をフロントパネルとリアパネルの両方に密接したものであり、限られた本体内の設置スペースを有効に利用して、幅寸法を拡大したフィルターユニットを挿入することができ、フィルターユニットの空気清浄効率を高めるとともに、フィルターユニットの空気抵抗を下げてクロスフローファンへの負荷を下げ、送風量を増やすことができるという作用を有する。
【００３９】
以下、本発明の実施の形態について図面を参照しながら説明する。
【００４０】
（実施の形態１）
図１〜図３に示すように、左右にそれぞれ吸気口１と吹出口２を有した縦長の空気清浄機の本体３と、本体３内にモータ４により駆動されるように設けた縦長のクロスフローファン５と、クロスフローファン５の一部を囲み吸気流と吹出流を形成するケーシング６と、ケーシング６の吸気流側に設けた集塵フィルターと脱臭フィルターとからなる縦長のフィルターユニット７と、フィルターユニット７からクロスフローファン５に至る風路となる空間部８と、本体３の一部を形成する断面を前面凸状の円弧形状に形成したフロントパネル９と、フロントパネル９とケーシング６の舌部１０を繋ぐ壁部１１を備え、空間部８を、フィルターユニット７とフロントパネル９および壁部１１とで包囲するように設ける。
【００４１】
また、本体３を前面凸状のフロントパネル９と後面凸状のリアパネル１２で形成し、１つのフィルターユニット７をフロントパネル９とリアパネル１２との間に密接状態に配置し、ケーシング６の舌部１０とクロスフローファン５の回転軸１３を結ぶ基準線１４に対し、フィルターユニット７のなす角度αを９０度以上となるように設け、ケーシング６の舌部１０とクロスフローファン５の回転軸１３を結ぶ基準線１４の延長線上附近に、フィルターユニット７の一端を配置し、他端をフロントパネル９に密接した構成とする。
【００４２】
上記構成において空気清浄機を運転すると、モータ４によりクロスフローファン５が駆動され、吸気口１より吸気された汚染空気は、フィルターユニット７を通り浄化され、浄化された空気は空間部８に入り、空間部８によりフィルターユニット７通過後の気流を、乱れることなくクロスフローファン５およびケーシング６の舌部１０方向に導入され、吹出口２より清浄化された空気が吹き出されることとなる。
【００４３】
このように実施の形態１の発明によれば、左右端部にそれぞれ吸気口と吹出口を有した縦長の本体３と、本体３内にモータ４により駆動されるように設けた縦長のクロスフローファン５と、クロスフローファン５の一部を囲み吸気流と吹出流を形成するケーシング６と、ケーシング６の吸気流側に設けた縦長のフィルターユニット７と、フィルターユニット７からクロスフローファン５に至る風路となる空間部８と、本体３の一部を形成するフロントパネル９と、フロントパネル９とケーシング６の舌部１０を繋ぐ壁部１１とを備え、空間部８を、フィルターユニット７とフロントパネル９および壁部１１とで包囲するので、クロスフローファン５の吸引側にフリーの空間部８が設けられ、フィルターユニット７通過後の気流を乱れることなくクロスフローファン５およびケーシング６の舌部１０方向に導入することができ、ファン効率を適正に保ち、空気清浄機の風量を確保することができることとなる。
【００４４】
また、フロントパネル９の断面を前面凸状の円弧形状に形成したので、クロスフローファン５に至る風路となる空間部８を拡大することができるとともに、フロントパネル９の曲面に合わせて気流を速やかに流通させることができることとなる。
【００４５】
また、本体３を前面凸状のフロントパネル９と後面凸状のリアパネルで形成し、１つのフィルターユニット７をフロントパネル９とリアパネル１２の間に密接状態で配置したので、本体３の一端に設けた吸気口１から吸気された汚染空気を、水平断面で本体３内に斜めに配置した１つのフィルターユニット７で清浄化して、本体３の他端に設けた吹出口２から吹き出すこととなり、本体３の左右端の厚み寸法が縮小した本体形状であっても、フィルターユニット７の通過面積を確保して空気清浄効率を維持することができ、本体３の形状がスリムなだけでなく、簡単な構造で空気清浄機能を実現することができることとなる。
【００４６】
また、ケーシング６の舌部１０とクロスフローファン５の回転軸１３を結ぶ基準線１４に対し、フィルターユニット７のなす角度αを９０度以上としたので、フィルターユニット７からクロスフローファン５に至る風路となる空間部８の左右幅を拡大することができ、フィルターユニット通過後の気流をより滑らかにクロスフローファン５およびケーシング６の舌部１０方向に導入することができることとなる。
【００４７】
また、ケーシング６の舌部１０とクロスフローファン５の回転軸１３を結ぶ基準線１４の延長線上付近に、フィルターユニット７の一端を配置し、他端をフロントパネル９に密接したので、クロスフローファン５の吸い込み領域の開始位置（舌部１０のファンの中心軸となる回転軸１３に対して対象位置）付近は吸込力が弱いので、フィルターユニット７を近接してもファン効率の低下は少なくなり、また、フィルターユニット７の他端はフロントパネル９に密接することで、エアリークを防止できるとともに、クロスフローファン５の吸引力の比較的強い範囲でフィルターユニット７が空気の流通の障害物とならないようにクロスフローファン５から次第に遠ざかる配置となり、フィルターユニット７通過後の空間部８を確保していることとなる。
【００４８】
（実施の形態２）
図４に示すように、壁部１１Ａの断面形状をフロントパネル９Ａより曲率半径が小なる円弧形状に構成する。
【００４９】
上記構成において、空気清浄機を運転するとモータ（図示せず）によりクロスフローファン５が駆動され、吸気口１より吸気された汚染空気は、フィルターユニット７を通り浄化され、浄化された空気は空間部８に入り空間部８によりフィルターユニット７を通過後の気流は乱れることなくクロスフローファン５およびケーシング６の舌部１０方向に導入される。このとき、曲率半径をフロントパネル９Ａより小なる円弧形成に形成した壁部１１Ａにより、ケーシング６の舌部１０方向に滑らかに方向変換したのち、クロスフローファン５に淀みなく吸い込まれ、清浄空気として吹出口２から吹き出される。
【００５０】
このように実施の形態２の発明によれば、壁部１１Ａの断面形状をフロントパネル９Ａより曲率半径を小なる円弧形状に形成しているので、フロントパネル９Ａに沿う空気の流水を舌部１０方向にスムースに方向転換するようにして、気流を淀みなくクロスフローファン５に流入させることができるものである。
【００５１】
（実施の形態３）
図５に示すように、ケーシング６Ａの舌部１０Ａとクロスフローファン５Ａの回転軸１３Ａを結ぶ基準線１４Ａに対してフィルターユニット７Ａのなす角度αを９０度未満とした構成とする。
【００５２】
上記構成においては、フィルターユニット７Ａは、クロスフローファン５Ａ側に近づくこととなり、その結果、フロントパネル９Ｂとリアパネル１２Ａの端部をクロスフローファン５Ａ側に近づけることが可能となり、本体３Ａの幅Ａを実施の形態１の本体３の幅Ｂより縮小することができる。
【００５３】
このように実施の形態３の発明によれば、ケーシング６Ａの舌部１０Ａとクロスフローファン５Ａの回転軸１３Ａを結ぶ基準線１４Ａに対してフィルターユニット７Ａのなす角度を９０度未満としたので、フィルターユニット７Ａを本体３Ａの中央寄りに配置することができ、本体３Ａの幅Ａを縮小することが可能となり、本体３Ａを小形化して設置面積を縮小することができるものである。
【００５４】
（実施の形態４）
図６に示すように、吸気口１Ａをフロントパネル９Ｃに、吸気口１Ｂをリアパネル１２Ｂにそれぞれ形成し、吹出口２Ａの反対側の端部に配置し構成する。
【００５５】
上記構成において、空気清浄機を運転すると、モータ（図示せず）によりクロスフローファン５が駆動され、フロントパネル９Ｃに設けた吸気口１Ａと、リアパネル１２Ｂに設けた吸気口１Ｂにより、それぞれ吸気された汚染空気はフィルターユニット７を通り浄化され、浄化された空気は空間部８に入り、空間部８よりクロスフローファン５に導入され、フロントパネル９Ｃに設けた吸気口１Ａおよびリアパネル１２Ｂに設けた吸気口１Ｂの反対側に設けられている吹出口２Ａより吹き出される。
【００５６】
このように実施の形態４の発明によれば、吸気口１Ａをフロントパネル９Ｃに、吸気口１Ｂをリアパネル１２Ｂにそれぞれ形成し、吹出口２Ａの反対側の端部に配置したので、吸気口１Ａと１Ｂは本体３Ｂの前後２ケ所に設けられることとなり、吸気口１Ａと１Ｂによる吸気口面積は大きくなり風量が増加するとともに、吸気する方向も前後に拡大して空気清浄機の吸気範囲を拡大することができるものである。
【００５７】
（実施の形態５）
図７に示すように、フィルターユニット７Ｂの他端をフロントパネル９Ｄとリアパネル１２Ｃの両方に密接した構成とする。
【００５８】
上記構成においては、フロントパネル９Ｄとリアパネル１２Ｃが接合される部分に対応して、フィルターユニット７Ｂの他端が配置されることとなり、フィルターユニット７Ｂを実施の形態１のフィルターユニット７に比較して最長の状態に形成することができ、フィルターユニット７Ｂによる汚染空気の浄化面積が増加する。
【００５９】
このように実施の形態５の発明によれば、フィルターユニット７Ｂの他端をフロントパネル９Ｄとリアパネル１２Ｃの両方に密接した構成としたので、限られた本体３Ｃ内の設置スペースを有効に利用して、幅寸法を拡大したフィルターユニット７Ｂを設けることができ、フィルターユニット７Ｂの空気効率を高めることができるとともに、フィルターユニット７Ｂの空気抵抗を下げてクロスフローファン５への負荷を下げ送風量を増大させることができるものである。
【産業上の利用可能性】
【００６０】
クロスフローファンを縦方向に設け、フィルターユニットを斜めに設置することにより容易に設置面積を小さくすることができることにより、フィルターユニットに変えて熱交換器を配置することにより、設置面積を小さくできる空気調和機にも適用できる。
【図面の簡単な説明】
【００６１】
【図１】本発明の実施の形態１の空気清浄機の横断面図
【図２】同空気清浄機の縦断面図
【図３】同空気清浄機の斜視図
【図４】本発明の実施の形態２の空気清浄機の横断面図
【図５】本発明の実施の形態３の空気清浄機の横断面図
【図６】本発明の実施の形態４の空気清浄機の横断面図
【図７】本発明の実施の形態５の空気清浄機の横断面図
【図８】従来の空気清浄機の断面図
【図９】同空気清浄機の破断正面図
【符号の説明】
【００６２】
１      吸気口
１Ａ    吸気口
１Ｂ    吸気口
２      吹出口
２Ａ    吹出口
３      本体
４      モータ
５      クロスフローファン
５Ａ    クロスフローファン
６      ケーシング
６Ａ    ケーシング
７      フィルターユニット
７Ａ    フィルターユニット
７Ｂ    フィルターユニット
８      空間部
９      フロントパネル
９Ａ    フロントパネル
９Ｃ    フロントパネル
９Ｄ    フロントパネル
１０    舌部
１０Ａ  舌部
１１    壁部
１１Ａ  壁部
１２    リアパネル
１２Ｂ  リアパネル
１２Ｃ  リアパネル
１３    回転軸
１３Ａ  回転軸
１４    基準線
１４Ａ  基準線
【図１】
2007021352.tif 000003
【図２】
2007021352.tif 000004
【図３】
2007021352.tif 000005
【図４】
2007021352.tif 000006
【図５】
2007021352.tif 000007
【図６】
2007021352.tif 000008
【図７】
2007021352.tif 000009
【図８】
2007021352.tif 000010
【図９】
2007021352.tif 000011